(57)【要約】      （修正有）【課題】畝間に撒いた肥料を畝の上部に効率良く寄せることができる歩行型管理機を提供する。【解決手段】歩行型管理機のロータリカバーの後部上側を覆う後面部３ｂに、開放された後部下側を覆って攪拌した土を受ける弾性体で形成した培土板５を配設すると共に、培土板の上側に、培土板の中間部位を逆さ台形状の下辺６ａ及びその両側の斜辺６ｆで押し止めるプレート押し止め板６を配設し、プレート押し止め板は、下辺及び斜辺を畝に沿った形状に設定し、培土板５は、中央プレート５ａと左右両側の末広がりの側部プレート５ｂ、５ｃとに３分割すると共に中央プレートと左右の側部プレートとは側部をプレート押し止め板の斜辺が当接する位置で重ね合わせて連続面に形成し、ロータリカバーの後面部３ｂとプレート押し止め板６との間にプレート押し止め板の固定位置を調節可能とする畝溝深さ調節機構７を設ける。【選択図】図２
0003210460.tif 000002
【実用新案登録請求の範囲】
【請求項１】
エンジンを搭載した機体の上部には後方へ向けた左右のハンドルを、下部には前記エンジンからミッションを介して回転可能なロータリと該ロータリの上部側を覆うロータリカバーと該ロータリカバーの後部中央の耕耘深さ調整杆とを、夫々備えた歩行型管理機において、
前記ロータリカバーの後部上側を覆う後面部に、該ロータリカバーの開放された後部下側を覆って前記ロータリで攪拌した土を受ける弾性体で形成した培土板を配設すると共に、該培土板の上側に、前記培土板の中間部位を逆さ台形状の下辺及びその両側の斜辺で押し止めるプレート押し止め板を配設し、
前記プレート押し止め板は、下辺の横幅を畝間の任意の畝溝底面幅と同程度の幅に設定し、斜辺の傾斜を畝の側面の形状に沿った角度に設定し、
前記培土板は、前記プレート押し止め板の下辺が当接する中央プレートとその左右両側の末広がりの側部プレートとに３分割すると共に該中央プレートと左右の側部プレートとは側部を前記プレート押し止め板の斜辺が当接する位置で重ね合わせて連続面に形成し、
前記ロータリカバーの後面部とプレート押し止め板との間に、該プレート押し止め板をスライドさせて該プレート押し止め板の固定位置を調節可能とする畝溝深さ調節機構を設けたことを特徴とする歩行型管理機。
【請求項２】
ロータリカバーが、ロータリの上方を覆う上面部と、上側後方を覆う後面部と、左右側方を覆う側面部とから成り、
前記上面部を、ミッションケースに固定した固定板と該固定板に支持されて左右へスライド可能に左右に分離させたスライド板との二重構造とし、前記後面部は前記左右のスライド板と一体的に左右スライド可能となるように左右に分離させると共に左右の側部プレートを前記左右の後面部に夫々固定し、前記左右のスライド板を左右にスライドさせることで培土板の横幅を調節可能とした培土幅調節機構を設けたことを特徴とする請求項１に記載の歩行型管理機。
【請求項３】
ロータリカバーの上面部と側面部との間に、該側面部の前部を中心に後部を上下に回動可能とする側面部開閉機構を設けたことを特徴とする請求項２に記載の歩行型管理機。
【考案の詳細な説明】
【技術分野】
【０００１】
本考案は耕耘用のロータリ部と畝形成用の培土部とを備えた歩行型管理機に関する。
【背景技術】
【０００２】
耕耘用のロータリを備えた歩行型管理機には、通常、アタッチメントを介してロータリの後部に培土器を取り付けて培土作業が行われるが、従来の培土器は金属製なので重量が大きく、取り付けや取り外しの作業が容易ではなかった。
一方、例えば下記特許文献１には、ロータリの回転で掻き上げられた土が周囲に飛散するのを防ぐためのロータリカバーに弾性変形自在の畝立用のプレートを設けた歩行型管理機が提案されており、この提案では培土器の替わりにプレートを用いることで取り付けや取り外しの労力を要せずに培度作業が行える。
しかしながら、上記特許文献１の提案では、該特許文献中の図４に示されているように、移動尾輪が当たる下部中央を基点に培土用のプレートがＶ字状に屈曲し、そのプレートで形成された畝間の溝は中央が狭い範囲で深く形成される傾向がある。そして、その溝をより深く形成すると、一旦は肥料が畝溝の両側に寄せられるが、その肥料は風雨によってＶ字形斜面の中央に集まってしまい、肥料が一旦苗の根元近くに寄せられても日時を経て苗から遠くへ離れてしまうこととなる。これとは逆に畝溝を浅く形成すると、肥料が両側に寄せられなくなってしまう。従って、畝溝を深く形成しても、浅く形成しても、畝間に撒いた肥料の多くが有効に使用できなくなるという問題がある。
【先行技術文献】
【特許文献】
【０００３】
【特許文献１】特開２０１２−１０５６２２号公報
【考案の概要】
【考案が解決しようとする課題】
【０００４】
上記問題を解決するため、本考案は、畝間に撒いた肥料を苗の根元に近い畝の上部により多く寄せられ、その寄せた場所に肥料を留めることで撒いた肥料が有効に利用可能となるコンパクトな歩行型管理機を提供することを目的とする。
【課題を解決するための手段】
【０００５】
上記課題を解決するため、本考案の歩行型管理機は、エンジンを搭載した機体の上部には後方へ向けた左右のハンドルを、下部には前記エンジンからミッションを介して回転可能なロータリと該ロータリの上部側を覆うロータリカバーと該ロータリカバーの後部中央の耕耘深さ調整杆とを、夫々備えた歩行型管理機において、前記ロータリカバーの後部上側を覆う後面部に、該ロータリカバーの開放された後部下側を覆って前記ロータリで攪拌した土を受ける弾性体で形成した培土板を配設すると共に、該培土板の上側に、前記培土板の中間部位を逆さ台形状の下辺及びその両側の斜辺で押し止めるプレート押し止め板を配設し、前記プレート押し止め板は、下辺の横幅を畝間の任意の畝溝底面幅と同程度の幅に設定し、斜辺の傾斜を畝の側面の形状に沿った角度に設定し、前記培土板は、前記プレート押し止め板の下辺が当接する中央プレートとその左右両側の末広がりの側部プレートとに３分割すると共に該中央プレートと左右の側部プレートとは側部を前記プレート押し止め板の斜辺が当接する位置で重ね合わせて連続面に形成し、前記ロータリカバーの後面部とプレート押し止め板との間に、該プレート押し止め板をスライドさせて該プレート押し止め板の固定位置を調節可能とする畝溝深さ調節機構を設けたことを特徴とする。
【０００６】
請求項２に記載の考案は、上記考案において、前記ロータリカバーが、ロータリの上方を覆う上面部と、上側後方を覆う後面部と、左右側方を覆う側面部とから成り、前記上面部を、ミッションケースに固定した固定板と該固定板に支持されて左右へスライド可能に左右に分離させたスライド板との二重構造とし、前記後面部は前記左右のスライド板と一体的に左右スライド可能となるように左右に分離させると共に左右の側部プレートを前記左右の後面部に夫々固定し、前記左右のスライド板を左右にスライドさせることで培土板の横幅を調節可能とした培土幅調節機構を設けたことを特徴とする。
【０００７】
請求項３に記載の考案は、上記考案において、前記ロータリカバーの上面部と側面部との間に、該側面部の前部を中心に後部を上下に回動可能とする側面部開閉機構を設けたことを特徴とする。
【考案の効果】
【０００８】
本考案は、金属製の重量物である培土器を必要としないので培土器の着脱の労力が省ける。
又、ロータリカバーに弾性体で形成した培土板とプレート押し止め板を取り付けた簡潔な構造なのでロータリ部の後方の培土部の軽量化とコンパクト化が可能となる。
培土作業においては、肥料が撒かれた畝間を機体が進行すると、ロータリの耕耘爪の回転で攪拌した肥料を含む土が、耕耘爪の周囲に飛散し、ロータリの後ろ側では後面部下の開放された空間を通過して培土板に当たる。
そして、ハンドルを下げると耕耘深さ調整杆の下部が柔らかい農地に沈み込もうとするが、プレート押し止め板に上から押し止められた培土板の中間部位が逆さ台形状の下辺及びその両側の斜辺部分で屈曲して攪拌された柔らかい土を上から圧迫し、畝間の中央部では中央プレートで水平状に抉られ、抉られた土は屈曲して斜めに傾斜した左右の側部プレートの方へと移動し、その後側部プレートの下を潜って後方へ逃がされる。
即ち、畝間に撒かれた肥料は、ロータリで攪拌されて土に混合された後、苗の根元に近い畝両側の斜面側へと寄せられることとなる。
【０００９】
そして、前記ロータリカバーの後面部とプレート押し止め板との間に設けた畝溝深さ調節機構によって、プレート押し止め板を上下にスライドさせて該プレート押し止め板の下辺の前記中央プレートに当たる位置を上下に移動させることで、その移動量で水平状の畝溝底面の深さを任意の深さに調節することが可能となる。
即ち、プレート押し止め板を上下して、前記中央プレートによって側方へ寄せる土の量が調節され、その調節した量の肥料を含んだ土が側部プレート側に寄せられるため、苗の根元に寄せる肥料の量を植えた苗の最適な量に調節することが可能となる。
その際、耕耘深さ調整杆とプレート押し止め板を下げてロータリで耕耘する畝溝の深さを浅くした場合には、ロータリは表土付近を浅く攪拌するため、肥料を含む攪拌された薄い表土は、プレート押し止め板で押えられて水平状となった中央プレートによって殆どが側方へ追いやられ、苗の根元に近い畝両側に立ち上がる斜面部分に寄せられることとなる。
又、耕耘深さ調整杆とプレート押し止め板を上げてロータリで耕耘する畝溝の深さを深くした場合には、ロータリは土を深く攪拌するため、肥料を含む攪拌された土は、耕耘する深さに応じて、プレート押し止め板の上下位置を選んで中央プレートによって側部プレート側へ追いやる量を調節することで、苗の生長に応じた肥料の最適な量を苗の根元に近い畝の斜面に寄せることが可能となる。
【００１０】
請求項２の考案は、培土幅調節機構によって、ロータリカバーの固定板に支持された左右のスライド板を左右にスライドさせることで、ロータリカバー内部の空間を左右への拡張と縮小とが可能となる。そして同時に左右のスライド板と一体となって連動する左右の後面部に固定した左右の側部プレートが左右にスライドするので、肥料を含む攪拌された土を寄せる畝幅を調節して畝溝の左右両側へ寄せることが可能となる。
【００１１】
請求項３の考案は、側面部開閉機構によって、前記ロータリカバーの側面部の前部を中心として後部が上下に回動可能となる。
そして、その側面部の後部側を上げて、同時に、耕耘深さ調整杆を上げ、更にプレート押し止め板を上げて培土板を押える位置を高く移動することで、ロータリを地中に深く落とし込めるようになり、ロータリは畝間をより深く耕耘することが可能となる。
この結果、畝間の表面に撒かれた肥料を深い位置に施肥すると共に苗の根元に寄せる肥料の量を適度に調節することが可能となる。
【図面の簡単な説明】
【００１２】
【図１】本考案の歩行型管理機の側面図である。
【図２】ロータリカバーを中心とした要部の斜視図である。
【図３】（イ）はロータリカバーに側部プレートを取り付けた状態を示し、（ロ）はその側部プレートの上から中央プレートを取り付けた状態を示す要部の各斜視図である。
【図４】プレート押し止め板を下げた状態を示す要部の斜視図である。
【図５】ロータリカバーを左右に広げた状態を示す要部の斜視図である。
【図６】ロータリカバーの側面部を上げた状態を示す要部の斜視図である。
【図７】本考案の使用状態を示す側面図である。
【図８】本考案の使用状態を示す要部の斜視図である
【考案を実施するための形態】
【００１３】
本考案の歩行型管理機を実施するための形態を図面に基づいて以下説明する。
図１は、機体１ａの上部に燃料タンク及びその燃料により駆動するエンジンを備え、機体１ａの後方に斜め上向きに左右のハンドル２４を突設し、機体１ａの下部に左右の駆動輪２０を備え、該駆動輪２０の後方に前記エンジンからミッションを介して回転可能な耕耘爪２ａを備えたロータリ２を設けた歩行型管理機１を示す。
なお、図１中の符号２１は前記ミッションを格納したミッションケース２１である。
又、前記歩行型管理機１は駆動輪２０によって前進後退が行われるが、本考案では駆動輪２０がなく、ロータリ２の回転で前進後退が行われる「車軸作業機」と呼ばれるタイプの歩行型管理機にも適用され得る。
【００１４】
本考案は、図１に示す如き歩行型管理機１のロータリ２の上方を上面部３ａで覆い、後方の下側は開放して上側のみを後面部３ｂで覆い、左右の側方を側面部３ｃで覆う金属板製のロータリカバー３を備える。
該ロータリカバー３は前記ミッションケース２１の後部に後方に向けて略水平にステイ２３を突設し、該ステイ２３の下側に前記上面部３ａの中央部で溶接やボルト等で固定する。
【００１５】
前記ロータリカバー３の後部中央に位置する前記ステイ２３の先端部にはブラケット２２を設け、該ブラケット２２に耕耘する深さを調整する耕耘深さ調整杆４を装着する。
該耕耘深さ調整杆４は、図１に示すように、下端部に地面滑走部４２を備えたスライド杆４１を前記上面部３ａに対して、前記ブラケット２２を貫いて上下にスライド可能に貫通させると共に下側を斜め後向きに傾斜させ、更にブラケット２２にスライド位置を固定する調節ネジ４３を設けた態様が可能である。
なお、図１には前記地面滑走部４２はスライド杆４１の下部を後方に向けて水平方向に屈曲させた丸棒状の態様を示したが、該地面滑走部４２は耕耘した柔らかい土に深く沈まず一定の位置を保持とするには角棒や板状や筒状に形成するなど、各種態様が可能である。
【００１６】
そして、前記ロータリカバー３は、その後部上側の後面部３ｂは、ロータリ２の上部後方を囲うように前記上面部３ａの後部から斜めに下がるように屈曲させ、該上面部３ａと一体的に形成し、その後端辺縁は前記側面部３ｃの下端部までの間の中間部位よりも上側とになるように短く形成する。
即ち、該後面部３ｂの下辺までの長さは、ロータリ２の回転で耕耘した土が後方に吐き出されるように、前記側面部３ｃの縦幅の半分程度の長さよりも短い長さとし、ロータリカバー３の後部下側を覆わないで空間を大きく開放する。
該後面部３ｂの下端辺を前記側面部３ｃに下端部と同様な位置まで垂れ下げて後面側を塞いでしまうと攪拌した土を後方へ直接放出できなくなるので好ましくない。
【００１７】
又、前記ロータリカバー３の後面部３ｂに、取り付け部を設けて、下端部に地面滑走部４２を備えたスライド杆４１を避けてその後ろ側に傾斜させ、平面板状の培土板５の上部をロータリカバー３の後面部３ｂの後ろ下がりの傾斜状態に倣って下部を斜め後方に向けて固定し、該培土板５でロータリカバー３の前記後面部３ｂの下側の開放された空間の後方を覆うように設ける。
該培土板５は、半硬質ゴムや軟質なプラスチックなど、板状で一定の硬さを備え、且つ土の圧力を受けて柔軟に変形し、土の圧力が解除されたら元の状態に復元可能となる弾性体で形成する。
その際、培土板５の下辺５ｄは前記地面滑走部４２に近接する程度の長さとし、横幅はスカートの如く末広がりに、下側の両側外端部間は上面部３ａの横幅よりも大きく、又任意の畝間の溝全体の横幅よりも大きな横幅とし、上部から中間部位までの横幅は、前記上面部３ａの横幅より少し短い幅とする。
【００１８】
又、前記培土板５は、図２に示すように、中央の一定幅の帯状の中央プレート５ａと、その中央プレート５ａの左右両側の末広がりの側部プレート５ｂ、５ｃとに３分割し、前記側部プレート５ｂ、５ｃの内側の一部が帯状の中央プレート５ａの両側に夫々重なり合って、該中央プレート５ａと左右の側部プレート５ｂ、５ｃとが連続面となるように形成する。
【００１９】
そして、前記側部プレート５ｂ、５ｃの上部は、図３の（イ）に示すように、前記後面部３ｂの上面に両側に分けて金属製の当て板５１を当てて固定ボルト５２で固定する。
又、前記中央プレート５ａは、図３の（ロ）に示すように、前記側部プレート５ｂ、５ｃの上に乗せるように配して、前記後面部３ｂの側部プレート５ｂ、５ｃの取り付け部よりも上側に前記中央プレート５ａの上部を金属製の当て板５３を当てて調節固定ボルト７２で固定する。
そして、前記中央プレート５ａは、前記後面部３ｂの取り付け部から上下同じ幅の帯状にスライド杆４１を避けて垂れ下げ、又、側部プレート５ｂ、５ｃは前記中央プレート５ａの両側に下側が広きスカート状に垂れ下がるように形成する。
これにより、該培土板５の裏側板面は、前記後面部３ｂの下端部と前記地面滑走部４２との間にロータリ２側から見て大きく露出し、多量の耕耘した土が培土板５の裏側に直接当ることとなる。
【００２０】
又、図１及び図２に示すように、前記ロータリカバー３の後面部３ｂの前記培土板５上部の取付け部よりも上面側に、金属製のプレート押し止め板６を装着する。
該プレート押し止め板６全体の形状は、図２に示すように、横幅は上面部３ａの横幅より狭く、上部６ｄの平坦部６ｂに後面部３ｂに固定するための上下に長く平行な左右のボルト長孔７１を形成し、該左右のボルト長孔７１間に中央部にある前記ブラケット２２に当るのを避けるための切欠部７３を設ける。
そして、下部は一定幅の水平な下辺６ａとその両側の傾斜した斜辺６ｆとで逆さ台形状の逆さ台形部６ｅを形成し、図１に示すように、逆さ台形部６ｅと平坦面６ｂとの間を、下辺６ａ側が下向きとなるよう屈曲させ、下辺６ａが前記中央プレート５ａの上面に確実に当接するように形成する。
図２中の６ｃはその屈曲部６ｃである。
該プレート押し止め板６の上下の長さは、少なくとも上部をロータリカバー３の後面部３ｂに固定したとき、前記中央プレート５ａの中間部位に下辺６ａが当接する程度の長さとする。
【００２１】
そして、ロータリカバー３の後面部３ｂへのプレート押し止め板６の上部を取り付けるが、そのためにプレート押し止め板６の平坦面６ｂの左右のボルト長孔７１を、前記中央プレート５ａを取り付けるために設けた当て板５３のボルト孔と、プレート押し止め板６の平坦面６ｂの前記左右のボルト長孔７１と、金属製の当て板７４に設けた左右のボルト孔に調節固定ボルト７２を貫挿させて、中央プレート５ａを取り付けるためのボルト孔に、前記調節固定ボルト７２を挿通させて、平坦面６ｂ部分を挟んで取り付ける。
なお、中央プレート５ａを取り付けるための前記当て板５３とプレート押し止め板６を取り付けるための当て板７４は同一のものを使用し、中央プレート５ａとプレート押し止め板６とを重ね合わせて取り付けることもできる。
前記プレート押し止め板６の下部の逆さ台形部６ｃに形状は、下辺６ａの横幅を、任意の畝間の溝底面と同程度の幅に設定し、前記逆さ台形部６ｃの斜辺６ｆの傾斜を、任意の畝の側面の傾斜角度に沿った角度に設定する。
又、プレート押し止め板６は畝に対して斜めに傾斜しているので、前記逆さ台形部６ｃの斜辺６ｆの傾斜角度は畝側面の任意の傾斜角度よりも急傾斜な角度とする。
上記の如き逆さ台形部６ｃに対して、３分割された前記培土板５は、前記中央プレート５ａの横幅は、該逆さ台形部６ｃの下辺６ａの両側を越えて側部が逆さ台形部６ｃの斜辺６ｆの中間に達する幅とし、縦幅は下辺６ａが前記耕耘深さ調整杆４の下端部の地面滑走部４２に近接する程度の幅とし、前記側部プレート５ｂ、５ｃの横幅を、逆さ台形部６ｃの斜辺６ｆへの当接箇所が該斜辺６ｆよりも広い幅とする。
即ち、中央プレート５ａと左右の側部プレート５ｂ、５ｃとは側部を前記プレート押し止め板の斜辺が当接する位置において重なり合い、培土板５全体が連続面となるように形成する。
【００２２】
又、図２に示すように、前記プレート押し止め板６に上下に移動して畝溝の深さを調節可能とする畝溝深さ調節機構７を設ける。
該畝溝深さ調節機構７は、図４に示すように、前記プレート押し止め板６を固定した後面部３ｂの上部とプレート押し止め板６の平坦面６ｂとの間に設け、前記プレート押し止め板６の左右の平行なボルトガイド長孔７１を利用し、該ボルトガイド長孔７１を貫通させた調節固定ボルト７２を緩めることで前記プレート押し止め板６の平坦面６ｂを上下にスライドさせて下辺６ａが前記中央プレート５ａの中間部位に当たる位置を上下に移動可能とし、再度前記調節固定ボルト７２を締めることで任意の位置に固定可能となる。
なお、図４は、プレート押し止め板６を最大に下げた状態を示し、図２は、プレート押し止め板６を途中まで下げた状態を示す。
【００２３】
以上の如き本考案は、図７に示すように、耕耘する際にロータリ２で攪拌した土が、前記中央プレート５ａの裏側に当り、機体１ａの前進に伴って、ハンドル２４を下げると耕耘深さ調整杆４の地面滑走部４２が柔らかい農地に少し沈み込もうとするが、側部プレート５ｂ、５ｃと中央プレート５ａとが土の上から覆いかぶさるように土を圧迫し、その反作用でプレート押し止め板６の水平状の下辺６ａが中央プレート５ａの中間部位を上から押し付けるので、図８に示すように、中央プレート５ａはプレート押し止め板６の下辺６ａに押えられた中間部位から後側が上側へ折り曲げられ、該中央プレート５ａと側部が重なっている側部プレート５ｂ、５ｃもプレート押し止め板６の逆さ台形部６ｅの斜辺６ｆに斜めに押えられた中間部位から下側が該中央プレート５ａとの折り曲がり状態に追随して左右外側が斜め上に折り曲げられる。
即ち、３分割された中央プレート５ａ及び側部プレート５ｂ、５ｃが３枚夫々別の方向に折り皺を発生させることなく自由に折り曲げられる。
そしてその際、中央プレート５ａと側部プレート５ｂ、５ｃとの重なり合い部分の下側が開くようにずれるが、隙間のない連続面が維持されるように重なり合う幅を広く設定しておく。
【００２４】
この結果、図８に示すように、畝間を進行することで肥料を散布した平坦な畝間が側部プレート５ｂ、５ｃと中央プレート５ａによって逆さ台形状に形成される。
その際、ロータリ２で耕耘された土が中央プレート５ａの下側では少なく、側部プレート５ｂ、５ｃ側に多く押し寄せられることとなる。
そして、畝間に撒かれた肥料Ｈは、ロータリの耕耘した深さが浅い場合には、畝溝の中央には殆ど残らずに畝上面Ｕの苗の根元に近い畝溝の両側へと寄せられることとなる。
又、ロータリで深く耕耘した場合にも肥料は畝溝の中央には少なく、多くは畝上面Ｕの苗の根元に近い畝溝の両側へと寄せられることとなる。
そして、一旦両側に寄せられて畝肩に集まった肥料Ｈは、風雨によって一部が斜面から崩れ落ちるが、畝間の中央に移動せず多くは平面状の畝の端で止まり、その畝肩付近にそのまま留まる。
このため肥料は苗の近くで長期間施肥効果を発揮することが可能となる。
【００２５】
又、前記後面部３ｂとプレート押し止め板６との間に設けた畝溝深さ調節機構７によって、プレート押し止め板６を上下にスライドさせて該プレート押し止め板６の下辺６ａが前記中央プレート５ａに当たる位置の移動が可能となり、その移動量で畝溝の深さを任意の深さに調節することができるようになる。
そして、この畝溝の深さの調節によって、前記中央プレート５ａによる畝溝中央の土の中央からの排除される量が調節でき、その調節した量が側部プレート５ｂ、５ｃ側に寄せられるため、苗の根元に寄せる肥料の量を植えた苗に合った量に調節することが可能となる。
例えば、耕耘する深さが浅い場合には、撒いた肥料は表土付近で攪拌され、その攪拌された肥料を含む土は、中央プレート５ａのプレート押し止め板６の下辺６ａで押えられ屈曲した面に押されて畝間の中央には残さずに、殆どを苗の根元に近い畝両側の斜面側へと集めることが可能となる。
又、耕耘する深さが深い場合には、その深さに応じて前記押し止め板６の下辺６ａを下げて中央プレート５ａの屈曲部分を押し下げることで、肥料を畝間の中央を深く抉って、苗の根元に近い畝両側の斜面側へと肥料を含んだ土を寄せることが可能となる。
【００２６】
以上が本考案の基本的な形態である。
本考案は、この基本形態に対して、図５に示すように、ロータリカバー３に、上面部３ａを左右にスライド可能な培土幅調節機構８を設けた形態が可能である。
この形態では、該培土幅調節機構８を、前記ロータリカバー３の上面部３ａを、ミッションケース２１に固定する固定板３１と該固定板３１に支持されて左右へスライド可能とした左右のスライド板３２との二重構造とする。
上側のステイ２３に固定された左右の固定板３１には、板面の前寄り部位と後寄り部位に左右方向に長い平行なボルトガイド長孔８１を設け、下側のスライド板３２には前記ボルトガイド長孔８１を貫通させた調節固定ボルト８２を設けことで、調節固定ボルト８２を緩めて左右のスライド板３２が夫々左右へスライド可能となり、調節固定ボルト８２を締めてスライドさせた位置で固定可能となる。
【００２７】
図５は、調節固定ボルト８２を緩めてボルトガイド長孔８１にガイドされた左右のスライド板３２を左右に広げた状態を示し、図２は左右のスライド板３２を左右に狭めた状態を示す。
そして、左右の側部プレート５ｂ、５ｃを固定した後面部３ｂも前記スライド板３２と一体に夫々左右スライド可能となるように左右に分離する。
更に、左右に分離させた側部プレート５ｂ、５ｃには、図５に示すように、左右別々に移動可能となるように、ロータリカバー３の後面部３ｂの上部に設けた取り付け部の前記中央プレート５ａ上部の左右のボルト孔と、その当て板５３のボルト孔を左右方向に長いボルトガイド長孔（図省略）を前記固定板３１のボルトガイド長孔８１と同じ長さに形成する。
この結果、前記固定調節ボルト７２を緩めれば前記スライド板３２の左右のスライドに追随して前記側部プレート５ｂ、５ｃが左右に移動可能となる。
【００２８】
そして、前記上面部３ａのスライド板３２を、左右に移動させてロータリ２で攪拌した土の飛散範囲を横に拡縮させると、側部プレート５ｂ、５ｃの左右の移動で培土幅が調節され、苗に対して肥料を任意の遠近位置に寄せられるように調節することが可能となる。
【００２９】
又、上記形態とは別に、図６に示すように、ロータリカバー３の左右の側面部３ｃの前部を中心に後部を上下に回動させて側面部３ｃの後部を開閉させる側面部開閉機構９を設けた形態が可能である。
この形態では、該側面部開閉機構９は、上面部３ａの前側端部には、その枠側にネジ孔を設け、該ネジ孔と同径のネジ孔を側面部３の固定板９３に設け、該固定板９３と上面部３ａのネジ孔に固定調節ボルト９４を羅着し、上面部３ａの後側端部には、枠側に設けたネジ孔に、該ネジ孔と同幅の前記固定板９３のネジ孔を中心とした円周に沿って湾曲したボルトガイド長孔９１を設け、該スライドガイド長孔９１を貫通させて前記上面部３ａのネジ孔に固定調節ボルト９２を羅着する。
この構造においては、前側の固定調節ボルト９４と後側の該固定調節ボルト９２を緩めることでボルトガイド長孔９１に沿って側面部３ｃの後部が回動可能となり、該ボルトガイド長孔９１の長さ範囲で上下に開閉可能となる。
【００３０】
この際、図６に示すように、下に末広がりの培土板５は上部から中間部位までの横幅が、前記上面部３ａの横幅より少し短い幅とすることで、側面部３ｃの後部は、側部プレート５ｂ、５ｃの外側部分には当らずに側部プレート５ｂ、５ｃの上まで大きく回動可能となる。
この調節を行う際には、他の前記プレート押し止め板６の上方への移動と、地面滑走部４２を備えたスライド板４１に上方への移動を同時に調節することで、ロータリ２が農地に深く落とし込めるようになる。
この結果、肥料を撒いた畝間を深く耕耘し、深い位置まで施肥が可能となる。
【産業上の利用可能性】
【００３１】
本考案は、農地に撒いた肥料を苗の根元に寄せるために使用するものであるが、これと同じ目的に使用されるロータリ部及び培土部を備えた管理機であれば、各種の管理機にも利用することが可能である。  
【符号の説明】
【００３２】
１  歩行型管理機
１ａ  機体
２  ロータリ
２ａ  耕耘爪
３  ロータリカバー
３ａ  上面部
３ｂ  後面部
３ｃ  側面部
３１  固定板
３２  スライド板
４  耕耘深さ調整杆
４１  スライド杆
４２  地面滑走部
４３  調節ネジ
５  培土板
５ａ  中央プレート
５ｂ  右の側部プレート
５ｃ  左の側部プレート
５ｄ  中央プレートの下辺
５１  当て板
５２  固定ボルト
５３  当て板
６  プレート押し止め板
６ａ  下辺
６ｂ  平坦部
６ｃ  屈曲部
６ｄ  上部
６ｅ  逆さ台形部
６ｆ  斜辺
７  畝溝深さ調節機構
７１  ボルトガイド長孔
７２  固定調節ボルト
７３  切欠部
７４  当て板
８  培土幅調節機構
８１  ボルトガイド長孔
８２  固定調節ボルト
９  側面部開閉機構
９１  ボルトガイド長孔
９２  固定調節ボルト
９３  固定板
９４  固定調節ボルト
２０  駆動輪
２１  ミッションケース
２２  ブラケット
２３  ステイ
２４  ハンドル
Ｈ  肥料
Ｕ  畝上面
【図１】
0003210460.tif 000003
【図２】
0003210460.tif 000004
【図３】
0003210460.tif 000005
【図４】
0003210460.tif 000006
【図５】
0003210460.tif 000007
【図６】
0003210460.tif 000008
【図７】
0003210460.tif 000009
【図８】
0003210460.tif 000010